(57)【特許請求の範囲】
【請求項１】
ボルテージ・フォロアとして動作するオペアンプと、
一方の電極が前記オペアンプの非反転入力端に接続され、前記オペアンプで生じるオフセット電圧に相当する電荷を蓄積するコンデンサと、
駆動対象とする画像表示装置に表示すべき画像を示す画像信号が前記オペアンプに入力されるとき、当該画像表示装置の画素毎に設けられ、前記画像信号に基づく電圧が印加される負荷と前記オペアンプの出力端とを接続し、前記画像信号を前記オペアンプに入力させ、これによって当該オペアンプで生じるオフセット電圧に相当する電荷が前記コンデンサに蓄積されたとき、前記負荷と前記オペアンプの出力端との接続を保持した状態で前記コンデンサに蓄積されている電荷と共に前記画像信号を当該オペアンプに入力させるように制御する制御手段と、
前記画像信号が入力される入力端子と、
前記入力端子と前記非反転入力端とを接続状態及び非接続状態の２つの状態の間で切り替える第１切替手段と、
前記負荷と前記オペアンプの出力端とを接続状態及び非接続状態の２つの状態の間で切り替える第２切替手段と、
前記コンデンサの他方の電極と前記オペアンプの反転入力端とを接続状態及び非接続状態の２つの状態の間で切り替える第３切替手段と、
前記コンデンサの他方の電極と前記入力端子とを接続状態及び非接続状態の２つの状態の間で切り替える第４切替手段と、を備え、
前記制御手段は、前記画像信号が前記オペアンプに入力されるとき、前記入力端子と前記非反転入力端とを接続状態とし、前記負荷と前記出力端とを接続状態とし、前記コンデンサの他方の電極と前記反転入力端とを接続状態とし、前記コンデンサの他方の電極と前記入力端子とを非接続状態とすることにより前記画像信号を前記オペアンプに入力させるように前記第１〜第４切替手段を制御し、これによって当該オペアンプで生じるオフセット電圧に相当する電荷が前記コンデンサに蓄積されたとき、前記入力端子と前記非反転入力端とを非接続状態とし、前記負荷と前記出力端との接続状態を保持し、前記コンデンサの他方の電極と前記反転入力端とを非接続状態とし、前記コンデンサの他方の電極と前記入力端子とを接続状態とすることにより前記コンデンサに蓄積されている電荷と共に前記画像信号を前記オペアンプに入力させるように前記第１〜第４切替手段を制御する、画像表示装置の駆動装置。
【請求項２】
前記負荷と前記オペアンプの出力端とを接続する前段階で前記負荷に所定電圧を印加する印加手段を更に備え、
前記制御手段は、前記負荷と前記オペアンプの出力端とが接続された時点で前記負荷への前記所定電圧の印加を中止するように前記印加手段を更に制御する請求項１記載の画像表示装置の駆動装置。
【請求項３】
非反転入力端と、反転入力端と、反転入力端に接続されたアンプ出力端子とを備えたオペアンプと、
一方の電極が前記オペアンプの非反転入力端に接続され、前記オペアンプで生じるオフセット電圧に相当する電荷を蓄積するコンデンサと、
駆動対象とする画像表示装置に表示すべき画像を示す画像信号が入力される入力端子と、
前記入力端子と前記非反転入力端とを接続状態及び非接続状態の２つの状態の間で切り替える第１切替手段と、
前記負荷と前記オペアンプの出力端とを接続状態及び非接続状態の２つの状態の間で切り替える第２切替手段と、
前記コンデンサの他方の電極と前記オペアンプの反転入力端とを接続状態及び非接続状態の２つの状態の間で切り替える第３切替手段と、
前記コンデンサの他方の電極と前記入力端子とを接続状態及び非接続状態の２つの状態の間で切り替える第４切替手段と、
前記オペアンプに画像信号を取り込むサンプリング期間に、前記入力端子と前記非反転入力端とを接続状態とし、前記コンデンサの他方の電極と前記反転入力端とを接続状態とし、前記コンデンサの他方の電極と前記入力端子とを非接続状態とすることにより前記画像信号を前記オペアンプに入力させるように前記第１切替手段、前記第３切替手段及び前記第４切替手段を制御し、これによって当該オペアンプで生じるオフセット電圧に相当する電荷が前記コンデンサに蓄積されてから開始されると共に前記オペアンプに取り込まれた前記画像信号を出力する出力期間に、前記入力端子と前記非反転入力端とを非接続状態とし、前記コンデンサの他方の電極と前記反転入力端とを非接続状態とし、前記コンデンサの他方の電極と前記入力端子とを接続状態とすることにより前記コンデンサに蓄積されている電荷と共に前記画像信号を前記オペアンプに入力させるように前記第１切替手段、前記第３切替手段及び前記第４切替手段を制御し、前記サンプリング期間及び前記出力期間からなる書き込み期間に前記負荷と前記出力端とを接続状態とし、非書き込み期間に前記負荷と前記出力端とを非接続状態とするように前記第２切替手段を制御する制御手段と、
を備えたことを特徴とする画像表示装置の駆動装置。
【発明の詳細な説明】
【技術分野】
【０００１】
本発明は、画像表示装置の駆動装置に関する。
【背景技術】
【０００２】
ＴＦＴ（Thin Film Transistor）液晶パネル等の画像表示装置の駆動装置において、画像表示装置に設けられ、当該画像表示装置に画像を表示する際に用いられる配線（一例として、ＴＦＴ液晶パネルのデータ線）に画像信号を出力する場合に、駆動装置に含まれるオペアンプのオフセット電圧をコンデンサを使用してキャンセルする技術が知られている（例えば、特許文献１参照。）。
【０００３】
図６には、コンデンサを使用してオペアンプのオフセット電圧をキャンセルする従来の駆動装置及びその周辺の構成の一例が示されている。
【０００４】
同図に示されるように、駆動装置１００は、オペアンプ１０２、コンデンサ１０４、入力端子１０６、スイッチ１０８，１１０，１１２を含んで構成されている。
【０００５】
オペアンプ１０２は、ボルテージ・フォロアとして動作するように構成されている。コンデンサ１０４は、オペアンプ１０２で生じるオフセット電圧に相当する電荷を２つの電極間で蓄積するものであり、一方の電極がオペアンプ１０２の非反転入力端に接続されている。入力端子１０６は画像表示装置（ここでは、ＴＦＴ液晶パネル）に表示すべき画像を示す画像信号が入力される端子である。
【０００６】
スイッチ１０８は、単極単投型スイッチであり、画像表示装置に設けられ、当該画像表示装置に上記画像信号により示される画像を表示する際に用いられるデータ線１１４とオペアンプ１０２の出力端とを接続状態及び非接続状態の２つの状態の間で切り替えるものである。なお、同図では、オペアンプ１０２がデータ線１１４を介して上記画像信号に基づく電圧を印加する画素（セル）をコンデンサ１１６として示している。
【０００７】
スイッチ１１０は、単極単投型スイッチであり、コンデンサ１０４の他方の電極とオペアンプ１０２の反転入力端とを接続状態及び非接続状態の２つの状態の間で切り替えるものである。
【０００８】
スイッチ１１２は、単極双投型スイッチであり、入力端子１０６とオペアンプ１０２の非反転入力端とを接続状態及び非接続状態の２つの状態の間で切り替えると共に、コンデンサ１０４の他方の電極と入力端子１０６とを接続状態及び非接続状態の２つの状態の間で切り替えるものである。
【０００９】
駆動装置１００は、スイッチ１０８，１１０，１１２を制御するスイッチ制御信号をスイッチ１０８，１１０，１１２に出力する信号出力装置（図示省略）を備えている。当該信号出力装置から出力されるスイッチ制御信号がアクティブ状態（ここでは、ハイレベル）のとき、図６（ａ）に示されるように、オペアンプ１０２の出力端とデータ線１１４とがスイッチ１０８により非接続状態となり、コンデンサ１０４の他方の電極とオペアンプ１０２の反転入力端とがスイッチ１１０により接続状態となり、入力端子１０６とオペアンプ３２の非反転入力端とがスイッチ１１２により接続状態となり、コンデンサ１０４の他方の電極と入力端子１０６とがスイッチ１１２により非接続状態となる。
【００１０】
一方、上記信号出力装置から出力されるスイッチ制御信号が非アクティブ状態（ここでは、ローレベル）のとき、図６（ｂ）に示されるように、オペアンプ１０２の出力端とデータ線１１４とがスイッチ１０８により接続状態となり、コンデンサ１０４の他方の電極とオペアンプ１０２の反転入力端とがスイッチ１１０により非接続状態となり、入力端子１０６とオペアンプ１０２の非反転入力端とがスイッチ１１２により非接続状態となり、コンデンサ１０４の他方の電極と入力端子１０６とがスイッチ１１２により接続状態となる。
【００１１】
このように構成された駆動装置１００において、図７に示されるように、入力端子１０６に画像信号が入力される前段階ではスイッチ制御信号が非アクティブ状態となっており、スイッチ１０８，１１０，１１２が図６（ｂ）に示す状態となっている。この状態で入力端子１０６に画像信号が入力されると、図７に示されるようにスイッチ制御信号がアクティブ状態となり、スイッチ１０８，１１０，１１２が図６（ａ）に示す状態となる。これにより、コンデンサ１０４にオペアンプ１０２のオフセット電圧が印加され、コンデンサ１０４に当該オフセット電圧に相当する電荷が蓄えられる。
【００１２】
コンデンサ１０４にて当該オフセット電圧に相当する電荷の蓄積が完了すると、図７に示されるようにスイッチ制御信号が非アクティブ状態となり、スイッチ１０８，１１０，１１２が図６（ｂ）に示す状態となる。これにより、オフセット電圧がオペアンプ１０２でキャンセルされると共に、入力端子１０６に入力された画像信号に基づく電圧に相当する電荷のコンデンサ１１６への蓄積が開始（図７では「書き込み開始」と表記）され、当該電圧に相当する電荷のコンデンサ１１６への蓄積が完了（図７では、「書き込み終了」と表記）する迄、当該画像信号による電圧がオペアンプ１０２及びデータ線１１４を介してコンデンサ１１６に印加される。
【特許文献１】特開２００２−４１００１号公報
【発明の開示】
【発明が解決しようとする課題】
【００１３】
しかしながら、上記従来技術では、駆動装置１００において画像信号が取り込まれている間（スイッチ１０８，１１０，１１２が図６（ａ）に示す状態のとき）は駆動装置１００からコンデンサ１１６に画像信号が出力されず、画像信号の駆動装置１００への取り込みが終了した時点で（スイッチ１０８，１１０，１１２が図６（ａ）に示す状態から図６（ｂ）に示す状態に移行した時点で）、駆動装置１００からコンデンサ１１６への画像信号の出力が開始されるので、駆動装置１００において画像信号を取り込む時間分だけコンデンサ１１６への画像信号の出力が遅くなってしまう、という問題点がある。
【００１４】
本発明は上記問題点を解決するためになされたものであり、画像表示装置で表示すべき画像を示す画像信号を取り込む時間分の画像表示装置への画像信号の出力の遅れを抑制しつつ、オフセット電圧をキャンセルすることができる画像表示装置の駆動装置を提供することを目的とする。
【課題を解決するための手段】
【００１５】
上記目的を達成するために、請求項１に記載の画像表示装置の駆動装置は、ボルテージ・フォロアとして動作するオペアンプと、一方の電極が前記オペアンプの非反転入力端に接続され、前記オペアンプで生じるオフセット電圧に相当する電荷を蓄積するコンデンサと、駆動対象とする画像表示装置に表示すべき画像を示す画像信号が前記オペアンプに入力されるとき、当該画像表示装置の画素毎に設けられ、前記画像信号に基づく電圧が印加される負荷と前記オペアンプの出力端とを接続し、前記画像信号を前記オペアンプに入力させ、これによって当該オペアンプで生じるオフセット電圧に相当する電荷が前記コンデンサに蓄積されたとき、前記負荷と前記オペアンプの出力端との接続を保持した状態で前記コンデンサに蓄積されている電荷と共に前記画像信号を当該オペアンプに入力させるように制御する制御手段と、前記画像信号が入力される入力端子と、前記入力端子と前記非反転入力端とを接続状態及び非接続状態の２つの状態の間で切り替える第１切替手段と、前記負荷と前記オペアンプの出力端とを接続状態及び非接続状態の２つの状態の間で切り替える第２切替手段と、前記コンデンサの他方の電極と前記オペアンプの反転入力端とを接続状態及び非接続状態の２つの状態の間で切り替える第３切替手段と、前記コンデンサの他方の電極と前記入力端子とを接続状態及び非接続状態の２つの状態の間で切り替える第４切替手段と、を備え、前記制御手段が、前記画像信号が前記オペアンプに入力されるとき、前記入力端子と前記非反転入力端とを接続状態とし、前記負荷と前記出力端とを接続状態とし、前記コンデンサの他方の電極と前記反転入力端とを接続状態とし、前記コンデンサの他方の電極と前記入力端子とを非接続状態とすることにより前記画像信号を前記オペアンプに入力させるように前記第１〜第４切替手段を制御し、これによって当該オペアンプで生じるオフセット電圧に相当する電荷が前記コンデンサに蓄積されたとき、前記入力端子と前記非反転入力端とを非接続状態とし、前記負荷と前記出力端との接続状態を保持し、前記コンデンサの他方の電極と前記反転入力端とを非接続状態とし、前記コンデンサの他方の電極と前記入力端子とを接続状態とすることにより前記コンデンサに蓄積されている電荷と共に前記画像信号を前記オペアンプに入力させるように前記第１〜第４切替手段を制御するものである。
【００１６】
請求項１に記載の画像表示装置の駆動装置では、コンデンサにより、ボルテージ・フォロアとして動作するオペアンプで生じるオフセット電圧に相当する電荷が蓄積される。
【００１７】
また、請求項１に記載の画像表示装置の駆動装置では、制御手段により、駆動対象とする画像表示装置に表示すべき画像を示す画像信号が前記オペアンプに入力されるとき、当該画像表示装置の画素毎に設けられ、前記画像信号に基づく電圧が印加される負荷と前記オペアンプの出力端とを接続し、前記画像信号を前記オペアンプに入力させ、これによって当該オペアンプで生じるオフセット電圧に相当する電荷が前記コンデンサに蓄積されたとき、前記負荷と前記オペアンプの出力端との接続を保持した状態で前記コンデンサに蓄積されている電荷と共に前記画像信号を当該オペアンプに入力させるように制御される。
また、請求項１に記載の画像表示装置の駆動装置では、入力端子に前記画像信号が入力され、第１切替手段により、前記入力端子と前記非反転入力端とが接続状態及び非接続状態の２つの状態の間で切り替えられ、第２切替手段により、前記負荷と前記オペアンプの出力端とが接続状態及び非接続状態の２つの状態の間で切り替えられ、第３切替手段により、前記コンデンサの他方の電極と前記オペアンプの反転入力端とが接続状態及び非接続状態の２つの状態の間で切り替えられ、第４切替手段により、前記コンデンサの他方の電極と前記入力端子とが接続状態及び非接続状態の２つの状態の間で切り替えられる。
そして、請求項１に記載の画像表示装置の駆動装置では、前記制御手段によって、前記画像信号が前記オペアンプに入力されるとき、前記入力端子と前記非反転入力端とを接続状態とし、前記負荷と前記出力端とを接続状態とし、前記コンデンサの他方の電極と前記反転入力端とを接続状態とし、前記コンデンサの他方の電極と前記入力端子とを非接続状態とすることにより前記画像信号を前記オペアンプに入力させるように前記第１〜第４切替手段が制御され、これによって当該オペアンプで生じるオフセット電圧に相当する電荷が前記コンデンサに蓄積されたとき、前記入力端子と前記非反転入力端とを非接続状態とし、前記負荷と前記出力端との接続状態を保持し、前記コンデンサの他方の電極と前記反転入力端とを非接続状態とし、前記コンデンサの他方の電極と前記入力端子とを接続状態とすることにより前記コンデンサに蓄積されている電荷と共に前記画像信号を前記オペアンプに入力させるように前記第１〜第４切替手段が制御される。
【００１８】
従って、本発明の画像表示装置の駆動装置によれば、コンデンサによるオフセット電圧に相当する電荷の蓄積及びオフセット電圧のオペアンプでのキャンセルに並行して画像信号を負荷に出力することができ、この結果、低コストで、かつ確実に、画像信号を取り込む時間分の画像表示装置への画像信号の出力の遅れを抑制しつつ、オフセット電圧をキャンセルすることができる。
【００２１】
更に、請求項１に記載の画像表示装置の駆動装置は、請求項２に記載の発明のように、前記負荷と前記オペアンプの出力端とを接続する前段階で前記負荷に所定電圧を印加する印加手段を更に備え、前記制御手段が、前記負荷と前記オペアンプの出力端とが接続された時点で前記負荷への前記所定電圧の印加を中止するように前記印加手段を更に制御するものとしても良い。
【００２２】
これにより、請求項１に記載の発明と同様の効果を奏することができると共に、画像表示装置への画像信号の出力をより一層早く完了させることができる。
【００２３】
一方、上記目的を達成するために、請求項３に記載の画像表示装置の駆動装置は、非反転入力端と、反転入力端と、反転入力端に接続されたアンプ出力端子とを備えたオペアンプと、一方の電極が前記オペアンプの非反転入力端に接続され、前記オペアンプで生じるオフセット電圧に相当する電荷を蓄積するコンデンサと、駆動対象とする画像表示装置に表示すべき画像を示す画像信号が入力される入力端子と、前記入力端子と前記非反転入力端とを接続状態及び非接続状態の２つの状態の間で切り替える第１切替手段と、前記負荷と前記オペアンプの出力端とを接続状態及び非接続状態の２つの状態の間で切り替える第２切替手段と、前記コンデンサの他方の電極と前記オペアンプの反転入力端とを接続状態及び非接続状態の２つの状態の間で切り替える第３切替手段と、前記コンデンサの他方の電極と前記入力端子とを接続状態及び非接続状態の２つの状態の間で切り替える第４切替手段と、前記オペアンプに画像信号を取り込むサンプリング期間に、前記入力端子と前記非反転入力端とを接続状態とし、前記コンデンサの他方の電極と前記反転入力端とを接続状態とし、前記コンデンサの他方の電極と前記入力端子とを非接続状態とすることにより前記画像信号を前記オペアンプに入力させるように前記第１切替手段、前記第３切替手段及び前記第４切替手段を制御し、これによって当該オペアンプで生じるオフセット電圧に相当する電荷が前記コンデンサに蓄積されてから開始されると共に前記オペアンプに取り込まれた前記画像信号を出力する出力期間に、前記入力端子と前記非反転入力端とを非接続状態とし、前記コンデンサの他方の電極と前記反転入力端とを非接続状態とし、前記コンデンサの他方の電極と前記入力端子とを接続状態とすることにより前記コンデンサに蓄積されている電荷と共に前記画像信号を前記オペアンプに入力させるように前記第１切替手段、前記第３切替手段及び前記第４切替手段を制御し、前記サンプリング期間及び前記出力期間からなる書き込み期間に前記負荷と前記出力端とを接続状態とし、非書き込み期間に前記負荷と前記出力端とを非接続状態とするように前記第２切替手段を制御する制御手段と、を備えている。
【００２６】
従って、請求項３に記載の画像表示装置の駆動装置によれば、画像信号を取り込む時間分の画像表示装置への画像信号の出力の遅れを抑制しつつ、オフセット電圧をキャンセルすることができる。
【発明の効果】
【００２９】
本発明によれば、画像表示装置で表示すべき画像を示す画像信号を取り込む時間分の画像表示装置への画像信号の出力の遅れを抑制しつつ、オフセット電圧をキャンセルすることができる、という効果が得られる。
【発明を実施するための最良の形態】
【００３０】
以下、図面を参照して、本発明を実施するための最良の形態について詳細に説明する。
【００３１】
〔第１の実施形態〕
図１は本第１の実施形態に係る画像表示装置１０の構成を示すブロック図である。
【００３２】
同図に示されるように、画像表示装置１０は、ＴＦＴ液晶パネル等からなる表示デバイス１２に周辺回路が接続されて構成されている。表示デバイス１２がＴＦＴ液晶パネルである場合、図示は省略するが、表示デバイス１２は、所定の間隔を隔てて対向配置された一対の透明基板の間に液晶が封入されて構成されている。また、表示デバイス１２は、一方の透明基板の対向面上の全面に電極が形成され、他方の透明基板の対向面上に、図１のＸ方向に沿って一定間隔で配置され、各々図１のＹ方向に沿って延びる複数本のデータ線３０（図２を参照。）と、図１のＹ方向に沿って一定間隔で配置され、各々図１のＸ方向に沿って延びる複数本のゲート線と、を備えている。更に、表示デバイス１２は、個々のデータ線３０と個々のゲート線との交差位置（画素位置）の各々にＴＦＴ及び電極を備えている。
【００３３】
個々のＴＦＴはソースが電極に、ゲートがゲート線に、ドレインがデータ線３０に各々接続されている。なお、本第１の実施形態では、画像表示装置１０としてＴＦＴ液晶パネルを適用しているが、これに限らず、例えばプラズマディスプレイや有機ＥＬディスプレイ等、公知の他のディスプレイを適用しても良いことは言うまでもない。
【００３４】
表示デバイス１２には複数のソースドライバ１４が備えられており、表示デバイス１２の個々のデータ線３０は複数のソースドライバ１４の何れかに各々接続されている。
【００３５】
また、表示デバイス１２には複数のゲートドライバ１６が備えられており、これらのゲートドライバ１６は後述するタイミングコントローラ１８に各々接続されている。タイミングコントローラ１８は後述するグラフィックプロセッサ２０に接続されている。
【００３６】
グラフィックプロセッサ２０は、表示デバイス１２に表示すべき画像を示す画像信号をフレームメモリ等に保持しており、タイミングコントローラ１８に対して一定周期で同期信号を出力すると共に、同期信号の各周期に、保持している画像信号のうち図１のＸ方向に沿った表示デバイス１２の１ライン分の画像信号（表示デバイス１２の個々のデータ線３０に供給すべきデータ電圧のレベルを示すＲＧＢ信号）をタイミングコントローラ１８へ順次出力する。
【００３７】
タイミングコントローラ１８は、グラフィックプロセッサ２０から入力された１ライン分のＲＧＢ信号を一旦メモリ（図示省略）に書き込んだ後に、当該メモリからＲＧＢ信号を読み出して各ソースドライバ１４へ出力する。また、個々のソースドライバ１４は、タイミングコントローラ１８から自ドライバに接続されているデータ線３０のＲＧＢ信号が入力された後に、タイミングコントローラ１８から入力されたソースドライバ制御信号に応じた一定期間（一例として、後述する「書き込み開始」から「書き込み終了」迄の書き込み期間）、入力されたＲＧＢ信号が示すレベルのデータ電圧（本発明の「画像信号に基づく電圧」に相当。）を対応するデータ線３０に印加する。
【００３８】
一方、表示デバイス１２の個々のゲート線は、複数のゲートドライバ１６の何れかに各々接続されている。複数のゲートドライバ１６は、タイミングコントローラ１８から入力されるゲートドライバ制御信号に従い、表示デバイス１２の複数のゲート線のうち何れか１本のゲート線にゲート信号を所定時間供給することを、ゲート信号を供給するゲート線を順に切り替えながら繰り返す。或るゲート線にゲート信号が供給されると、当該ゲート線に接続されている１ライン分の全てのＴＦＴがオン状態となり、オン状態となった個々のＴＦＴに接続されているデータ線３０を介して供給されたデータ電圧が、オン状態となった個々のＴＦＴに接続された電極を介して液晶に印加され、オン状態となった個々のＴＦＴに対応する各画素位置における液晶の光透過率が変化する。これにより、表示デバイス１２の１ライン分の画像が表示される。そして、上記処理が繰り返されることで表示デバイス１２に画像が表示される。
【００３９】
ところで、個々のソースドライバ１４は、図２に示されるように、表示デバイス１２の個々のデータ線３０に対応して駆動装置２４を各々備えている。駆動装置２４は、タイミングコントローラ１８によって上記書き込み期間とこれ以外の期間である非書き込み期間とに応じて制御される。
【００４０】
駆動装置２４は、タイミングコントローラ１８から転送されたＲＧＢ信号を保持するデータバッファ２６と、データバッファ２６から出力されたＲＧＢ信号を当該ＲＧＢ信号の値に応じた電圧レベルのアナログ信号（以下、このアナログ信号も「画像信号」と称する。）に変換して出力するＤ／Ａ（デジタル／アナログ）変換器２８と、ボルテージ・フォロアとして動作するように構成されており、出力端が表示デバイス１２の何れか１本のデータ線３０に接続され、Ｄ／Ａ変換器２８から入力された画像信号を増幅して当該データ線３０に供給するオペアンプ３２と、が直列に接続されて構成されている。なお、図２では、オペアンプ３２がＤ／Ａ変換器２８から入力された画像信号に基づく電圧をデータ線３０を介して印加する画素（セル）をコンデンサ３４として示している。コンデンサ３４の一方の電極（信号出力端子）はデータ線３０に接続され、他方の電極は接地されている。
【００４１】
また、駆動装置２４は、コンデンサ３６及び入力端子３８を備えている。コンデンサ３６は、オペアンプ３２で生じるオフセット電圧に相当する電荷を蓄積するものであり、一方の電極がオペアンプ３２の非反転入力端に接続されている。入力端子３８は、Ｄ／Ａ変換器２８の出力端に接続されており、Ｄ／Ａ変換器２８から画像信号が入力される。
【００４２】
また、駆動装置２４は、スイッチ４０を備えている。スイッチ４０は、単極単投型スイッチであり、コンデンサ３４とオペアンプ３２の出力端とを接続状態及び非接続状態の２つの状態の間で切り替えるものである。
【００４３】
更に、駆動装置２４は、第１切替回路４１を備えている。第１切替回路４１は、スイッチ４２，４４を含んで構成されている。スイッチ４２は、単極単投型スイッチであり（単極双投型スイッチでも可）、コンデンサ３６の他方の電極とオペアンプ３２の反転入力端とを接続状態及び非接続状態の２つの状態の間で切り替えるものである。スイッチ４４は、単極双投型スイッチであり、入力端子３８とオペアンプ３２の非反転入力端とを接続状態及び非接続状態の２つの状態の間で切り替えると共に、コンデンサ３６の他方の電極と入力端子３８とを接続状態及び非接続状態の２つの状態の間で切り替えるものである。
【００４４】
タイミングコントローラ１８は、スイッチ４０，４２，４４に接続されており、スイッチ４２，４４を制御するスイッチ制御信号と、スイッチ４０を制御する第２のスイッチ制御信号とを生成し、スイッチ制御信号をスイッチ４２，４４に、第２のスイッチ制御信号をスイッチ４０に各々常時出力している。なお、本第１の実施形態では、スイッチ制御信号及び第２のスイッチ制御信号が、非アクティブ状態（ここでは、ローレベル）とアクティブ状態（ここでは、ハイレベル）との何れかの状態となっている。
【００４５】
次に、本第１の実施形態に係る駆動装置２４の作用を図２及び図３を参照しながら説明する。
【００４６】
先ず、タイミングコントローラ１８は、Ｄ／Ａ変換器２８からオペアンプ３２に画像信号を出力させると同時に、図３に示されるようにスイッチ制御信号及び第２のスイッチ制御信号を非アクティブ状態からアクティブ状態へ移行させる。これにより、スイッチ４２，４４は、図２（ａ）に示されるように、コンデンサ３６の他方の電極とオペアンプ３２の反転入力端とが接続状態となり、入力端子３８とオペアンプ３２の非反転入力端とが接続状態となり、コンデンサ３６の他方の電極と入力端子３８とが非接続状態となるように制御されると共に、スイッチ４０は、コンデンサ３４とオペアンプ３２の出力端（アンプ出力端子）とが接続状態となるように制御される。
【００４７】
従って、スイッチ制御信号及び第２のスイッチ制御信号が非アクティブ状態からアクティブ状態へ移行されると同時に、Ｄ／Ａ変換器２８からオペアンプ３２に入力された画像信号に基づく電圧のコンデンサ３４への印加が開始される（図３では、「書き込み開始」と表記）。そして、スイッチ制御信号がアクティブ状態である間（オペアンプ３２に画像信号を取り込むサンプリング期間）、オペアンプ３２で生じるオフセット電圧ΔＶに相当する電荷がコンデンサ３６に蓄積され、第２のスイッチ制御信号がアクティブ状態である間（オペアンプ３２からコンデンサ３４へ画像信号が出力される出力期間）、オペアンプ３２の出力端からデータ線３０を介してコンデンサ３４に画像信号が出力され、当該画像信号に基づく電圧に相当する電荷がコンデンサ３４に蓄積される。
【００４８】
次に、タイミングコントローラ１８は、予め定められた条件が満足されたとき、図３に示されるようにスイッチ制御信号をアクティブ状態から非アクティブ状態に移行させる。これにより、図２（ｂ）に示されるように、スイッチ４２，４４は、コンデンサ３６の他方の電極とオペアンプ３２の反転入力端とが非接続状態となり、入力端子３８とオペアンプ３２の非反転入力端とが非接続状態となり、コンデンサ３６の他方の電極と入力端子３８とが接続状態となるように制御される。
【００４９】
従って、オフセット電圧ΔＶがオペアンプ３２でキャンセルされると共に、Ｄ／Ａ変換器２８からオペアンプ３２に入力された画像信号に基づく電圧に相当する電荷のコンデンサ３４への蓄積が完了（図３では、「書き込み終了」と表記）する迄、当該画像信号に基づく電圧が目標の電圧レベルＶ（オペアンプ３２に入力された信号の電圧レベル）でコンデンサ３４に印加される。
【００５０】
なお、本第１の実施形態では、上記予め定められた条件として、Ｄ／Ａ変換器２８からオペアンプ３２に画像信号が入力されてオペアンプ３２で生じるオフセット電圧ΔＶに相当する電荷がコンデンサ３６に蓄積されたことを検出器（図示省略）により検出した、との条件を適用しているが、これに限らず、Ｄ／Ａ変換器２８からオペアンプ３２に画像信号が入力されてから予め定められた時間が経過した、との条件を適用しても良い。この場合、Ｄ／Ａ変換器２８からオペアンプ３２に画像信号が入力されてからオペアンプ３２で生じるオフセット電圧ΔＶに相当する電荷がコンデンサ３６に蓄積される迄の時間をコンピュータ・シミュレーションで予め推定しておき、当該時間を上記予め定められた時間として適用する形態が例示できる。
【００５１】
次に、タイミングコントローラ１８は、予め定められた第２の条件が満足されたときに、図３に示されるように第２のスイッチ制御信号をアクティブ状態から非アクティブ状態に移行させる。これにより、スイッチ４０は、図２（ｃ）に示されるように、コンデンサ３４とオペアンプ３２の出力端とが非接続状態となるように制御される。
【００５２】
なお、本第１の実施形態では、上記予め定められた第２の条件として、Ｄ／Ａ変換器２８からオペアンプ３２に入力された画像信号に基づく電圧に相当する電荷がコンデンサ３４に蓄積されたことを検出器（図示省略）により検出した、との条件を適用しているが、これに限らず、Ｄ／Ａ変換器２８からオペアンプ３２に画像信号が入力されてから予め定められた第２の時間が経過した、との条件を適用しても良い。この場合、Ｄ／Ａ変換器２８からオペアンプ３２に画像信号が入力されてから当該画像信号に基づく電圧に相当する電荷がコンデンサ３４に蓄積される迄の時間をコンピュータ・シミュレーションで予め推定しておき、当該時間を上記予め定められた第２の時間として適用する形態が例示できる。
【００５３】
以上詳細に説明したように、本第１の実施形態に係る駆動装置２４によれば、コンデンサ３６により、ボルテージ・フォロアとして動作するオペアンプ３２で生じるオフセット電圧に相当する電荷が蓄積され、制御手段（ここでは、タイミングコントローラ１８）により、駆動対象とする画像表示装置１０の表示デバイス１２に表示すべき画像を示す画像信号がオペアンプ３２に入力されるとき、画像表示装置の画素毎に設けられ、画像信号に基づく電圧が印加される負荷（ここでは、コンデンサ３４）とオペアンプ３２の出力端とを接続し、画像信号をオペアンプ３２に入力させ、これによってオペアンプ３２で生じるオフセット電圧に相当する電荷がコンデンサ３６に蓄積されたとき、コンデンサ３４とオペアンプ３２の出力端との接続を保持した状態でコンデンサ３６に蓄積されている電荷と共に画像信号をオペアンプ３２に入力させるように制御されるので、コンデンサ３６によるオフセット電圧に相当する電荷の蓄積及びオフセット電圧のオペアンプ３２でのキャンセルに並行して画像信号を負荷に出力することができ、この結果、画像信号を取り込む時間分の表示デバイス１２への画像信号の出力の遅れを抑制しつつ、オフセット電圧をキャンセルすることができる。
【００５４】
また、本第１の実施形態に係る駆動装置２４によれば、コンデンサ３６が、一方の電極がオペアンプ３２の非反転入力端に接続されたものであり、画像信号が入力される入力端子３８と、入力端子３８とオペアンプ３２の非反転入力端とを接続状態及び非接続状態の２つの状態の間で切り替える第１切替手段（ここでは、スイッチ４４）と、負荷とオペアンプ３２の出力端とを接続状態及び非接続状態の２つの状態の間で切り替える第２切替手段（ここでは、スイッチ４０）と、コンデンサ３６の他方の電極とオペアンプ３２の反転入力端とを接続状態及び非接続状態の２つの状態の間で切り替える第３切替手段（ここでは、スイッチ４２）と、コンデンサ３６の他方の電極と入力端子３８とを接続状態及び非接続状態の２つの状態の間で切り替える第４切替手段（ここでは、スイッチ４４）と、を備え、制御手段が、画像信号がオペアンプ３２に入力されるとき、入力端子３８とオペアンプ３２の非反転入力端とを接続状態とし、負荷とオペアンプ３２の出力端とを接続状態とし、コンデンサ３６の他方の電極とオペアンプ３２の反転入力端とを接続状態とし、コンデンサ３６の他方の電極と入力端子３８とを非接続状態とすることにより画像信号をオペアンプ３２に入力させるように第１〜第４切替手段を制御し、これによってオペアンプ３２で生じるオフセット電圧に相当する電荷がコンデンサ３６に蓄積されたとき、入力端子３８とオペアンプ３２の非反転入力端とを非接続状態とし、負荷とオペアンプ３２の出力端との接続状態を保持し、コンデンサ３６の他方の電極とオペアンプ３２の反転入力端とを非接続状態とし、コンデンサ３６の他方の電極と入力端子３８とを接続状態とすることによりコンデンサ３６に蓄積されている電荷と共に画像信号をオペアンプ３２に入力させるように第１〜第４切替手段を制御しているので、低コストで、かつ確実に、画像信号を取り込む時間分の表示デバイス１２への画像信号の出力の遅れを抑制しつつ、オフセット電圧をキャンセルすることができる。
【００５５】
〔第２の実施形態〕
次に第２の実施形態について説明する。なお、本第２の実施形態において、第１の実施形態と同一の部分には同一の符号を付し、説明を省略する。
【００５６】
図４は本第２の実施形態に係る駆動装置２４Ｂ及びその周辺の構成の一例を示す図である。
【００５７】
同図に示されるように、駆動装置２４Ｂは、電源５０及びスイッチ５２を備えている点のみが上記第１の実施形態で説明した駆動装置２４と異なっている。電源５０の出力端はスイッチ５２及びデータ線３０を介してコンデンサ３４に接続されている。電源５０は前述した電圧レベルＶよりも低い電圧レベルＶＭの電圧をコンデンサ３４に印加するものである。スイッチ５２は、単極単投型スイッチであり、電源５０の出力端とコンデンサ３４とを接続状態及び非接続状態の２つの状態の間で切り替えるものである。
【００５８】
タイミングコントローラ１８は、スイッチ５２に接続されており、スイッチ５２を制御する第３のスイッチ制御信号を生成し、当該第３のスイッチ制御信号をスイッチ５２に常時出力している。なお、本第２の実施形態では、当該第３のスイッチ制御信号が、非アクティブ状態（ここでは、ローレベル）とアクティブ状態（ここでは、ハイレベル）との何れかの状態となっている。
【００５９】
次に、本第２の実施形態に係る駆動装置２４Ｂの作用を図４及び図５を参照しながら説明する。
【００６０】
ところで、本第２の実施形態に係る駆動装置２４Ｂでは、タイミングコントローラ１８により、Ｄ／Ａ変換器２８からオペアンプ３２に画像信号を出力させ、当該画像信号に基づく電圧のコンデンサ３４への印加を開始（図５では、「書き込み開始」と表記）させる前段階において、タイミングコントローラ１８が、スイッチ制御信号及び第２のスイッチ制御信号を非アクティブ状態とし、第３のスイッチ制御信号をアクティブ状態とする。これにより、図４（ａ）に示されるように、スイッチ４０，４２，４４，５２は、コンデンサ３４とオペアンプ３２の出力端とが非接続状態となり、コンデンサ３６の他方の電極とオペアンプ３２の反転入力端とが非接続状態となり、入力端子３８とオペアンプ３２の非反転入力端とが非接続状態となり、コンデンサ３６の他方の電極と入力端子３８とが接続状態となり、電源５０の出力端とコンデンサ３４とが接続状態となるように制御される。
【００６１】
従って、スイッチ制御信号及び第２のスイッチ制御信号が非アクティブ状態であり、かつ第３のスイッチ制御信号がアクティブ状態である間、電源５０からデータ線３０を介してコンデンサ３４に電圧レベルＶＭの電圧が印加される。
【００６２】
次に、タイミングコントローラ１８は、Ｄ／Ａ変換器２８からオペアンプ３２に画像信号を出力させると同時に、第３のスイッチ制御信号をアクティブ状態から非アクティブ状態に移行させると共に、スイッチ制御信号及び第２のスイッチ制御信号を非アクティブ状態からアクティブ状態に移行させる。これにより、図４（ｂ）に示されるように、スイッチ４０，４２，４４，５２は、コンデンサ３４とオペアンプ３２の出力端とが接続状態となり、コンデンサ３６の他方の電極とオペアンプ３２の反転入力端とが接続状態となり、入力端子３８とオペアンプ３２の非反転入力端とが接続状態となり、コンデンサ３６の他方の電極と入力端子３８とが非接続状態となり、電源５０の出力端とコンデンサ３４とが非接続状態となるように制御される。
【００６３】
従って、スイッチ制御信号及び第２のスイッチ制御信号が非アクティブ状態からアクティブ状態へ移行されると同時に、Ｄ／Ａ変換器２８からオペアンプ３２に入力された画像信号に基づく電圧のコンデンサ３４への印加が開始される。そして、スイッチ制御信号がアクティブ状態である間、オペアンプ３２で生じるオフセット電圧ΔＶに相当する電荷がコンデンサ３６に蓄積され、第２のスイッチ制御信号がアクティブ状態である間、オペアンプ３２の出力端からデータ線３０を介してコンデンサ３４に画像信号が出力され、当該画像信号に基づく電圧に相当する電荷がコンデンサ３４に蓄積される。
【００６４】
次に、タイミングコントローラ１８は、上記第１の実施形態で説明した予め定められた条件が満足されたときに、スイッチ制御信号をアクティブ状態から非アクティブ状態に移行させる。これにより、図４（ｃ）に示されるように、スイッチ４２，４４は、コンデンサ３６の他方の電極とオペアンプ３２の反転入力端とが非接続状態となり、入力端子３８とオペアンプ３２の非反転入力端とが非接続状態となり、コンデンサ３６の他方の電極と入力端子３８とが接続状態となるように制御される。
【００６５】
従って、オフセット電圧ΔＶがオペアンプ３２でキャンセルされると共に、Ｄ／Ａ変換器２８からオペアンプ３２に入力された画像信号に基づく電圧に相当する電荷のコンデンサ３４への蓄積が完了（図５では、「書き込み終了」と表記）する迄、当該画像信号に基づく電圧が目標の電圧レベルＶ（オペアンプ３２に入力された信号の電圧レベル）でコンデンサ３４に印加される。しかも、本第２の実施形態では、コンデンサ３４とオペアンプ３２の出力端とを接続する前段階（Ｄ／Ａ変換器２８からオペアンプ３２に画像信号が出力される前段階）でコンデンサ３４に電圧レベルＶＭの電圧が印加されているため、上記第１の実施形態の場合と比較して、コンデンサ３４に印加される電圧レベルを早く電圧レベルＶに到達させることができる。すなわち、上記第１の実施形態の場合と比較して、「書き込み終了」の時期を早くすることができる。
【００６６】
次に、タイミングコントローラ１８は、上記第１の実施形態で説明した予め定められた第２の条件が満足されたときに、図５に示されるように第２のスイッチ制御信号をアクティブ状態から非アクティブ状態に移行させる。これにより、スイッチ４０は、コンデンサ３４とオペアンプ３２の出力端とが非接続状態となるように制御される。
【００６７】
以上詳細に説明したように、本第２の実施形態に係る駆動装置２４Ｂによれば、負荷とオペアンプ３２の出力端とを接続する前段階で負荷に所定電圧（ここでは、電圧レベルＶＭの電圧）を印加する印加手段（ここでは、電源５０及びスイッチ５２）を更に備え、制御手段が、負荷とオペアンプ３２の出力端とが接続された時点で負荷への所定電圧の印加を中止するように印加手段を制御しているので、表示デバイス１２への画像信号の出力をより一層早く完了させることができる。
【００６８】
以上、本発明を上記各実施形態を用いて説明したが、本発明の技術的範囲は上記各実施形態に記載の範囲には限定されない。発明の主旨を逸脱しない範囲で上記各実施形態に多様な変更または改良を加えることができ、当該変更または改良を加えた形態も本発明の技術的範囲に含まれる。
【００６９】
また、上記各実施形態は、特許請求の範囲に記載された発明を限定するものではなく、また、上記各実施形態の中で説明されている特徴の組み合わせの全てが発明の解決手段に必須であるとは限らない。上記各実施形態には種々の段階の発明が含まれており、開示される複数の構成要件における状況に応じた組み合わせにより種々の発明を抽出できる。上記各実施形態に示される全構成要件から幾つかの構成要件が削除されても、効果が得られる限りにおいて、この幾つかの構成要件が削除された構成が発明として抽出され得る。
【００７０】
例えば、上記第２の実施形態では、本発明の印加手段として、電源５０及びスイッチ５２を適用した場合の形態例を挙げて説明したが、本発明はこれに限定されるものではなく、印加手段を電源５０のみとしても良い。この場合、第２のスイッチ制御信号がアクティブ状態のときにコンデンサ３４に電圧を印加し、非アクティブ状態のときにコンデンサ３４への電圧の印加を中止するように電源５０を制御する形態が例示できる。
【００７１】
また、上記第１の実施形態で説明した駆動装置２４の構成（図２を参照。）及び上記第２の実施形態で説明した駆動装置２４Ｂの構成（図４を参照。）は一例であり、本発明の主旨を逸脱しない範囲内において状況に応じて変更可能であることは言うまでもない。
【図面の簡単な説明】
【００７２】
【図１】実施形態に係る画像表示装置の構成を示すブロック図である。
【図２】第１の実施形態に係る駆動装置及びその周辺の構成の一例を示す図であり、（ａ）はスイッチ制御信号及び第２のスイッチ制御信号がアクティブ状態のときの状態を示す回路図（一部ブロック図）であり、（ｂ）はスイッチ制御信号が非アクティブ状態であり、かつ第２のスイッチ制御信号がアクティブ状態のときの状態を示す回路図（一部ブロック図）であり、（ｃ）はスイッチ制御信号及び第２のスイッチ制御信号が非アクティブ状態のときの状態を示す回路図（一部ブロック図）である。
【図３】第１の実施形態に係るコンデンサに印加される電圧、スイッチ制御信号及び第２のスイッチ制御信号の状態の一例を示すタイムチャートである。
【図４】第２の実施形態に係る駆動装置及びその周辺の構成の一例を示す図であり、（ａ）はスイッチ制御信号が非アクティブ状態であり、かつ第２のスイッチ制御信号が非アクティブ状態であり、かつ第３のスイッチ制御信号がアクティブ状態のときの状態を示す回路図（一部ブロック図）であり、（ｂ）はスイッチ制御信号がアクティブ状態であり、かつ第２のスイッチ制御信号がアクティブ状態であり、かつ第３のスイッチ制御信号が非アクティブ状態のときの状態を示す回路図（一部ブロック図）であり、（ｃ）はスイッチ制御信号、第２のスイッチ制御信号及び第３のスイッチ制御信号が非アクティブ状態のときの状態を示す回路図（一部ブロック図）である。
【図５】第２の実施形態に係るコンデンサに印加される電圧、スイッチ制御信号、第２のスイッチ制御信号及び第３のスイッチ制御信号の状態の一例を示すタイムチャートである。
【図６】従来の駆動装置及びその周辺の構成の一例を示す構成図である。
【図７】従来の画像表示装置のコンデンサに印加される電圧及びスイッチ制御信号の状態の一例を示すタイムチャートである。
【符号の説明】
【００７３】
１０  画像表示装置
１２  表示デバイス
１８  タイミングコントローラ
２４，２４Ｂ  駆動装置
３２  オペアンプ
３４，３６  コンデンサ
３８  入力端子（信号入力端子）
４０，４２，４４，５２  スイッチ
４１  第１切替回路（第１切替手段）
５０  電源
【図１】
0004512647.tif 000002
【図２】
0004512647.tif 000003
【図３】
0004512647.tif 000004
【図４】
0004512647.tif 000005
【図５】
0004512647.tif 000006
【図６】
0004512647.tif 000007
【図７】
0004512647.tif 000008